(57)【要約】  ある態様によれば、ディスプレイ出力を生成するディスプレイユニットが提供され、ディスプレイユニットは、第１の光源と、第１の光源からの光を第１の偏光方向において偏光させるように配置される第１の背面偏光子と、第２の光源と、第２の光源からの光を第１の偏光方向に対して直交する第２の偏光方向において偏光させるように配置される第２の背面偏光子と、第１の基板と、第２の基板と、第１の基板と第２の基板との間に位置付けられる液晶層とを含み、第１の基板、第２の基板、及び液晶層は、第１の背面偏光子によって偏光された第１の光源からの光を受光し、第２の背面偏光子によって偏光された第２の光源からの光を受光する、ように配置され、ディスプレイユニットは、光を偏光するように配置される正面偏光子を含み、正面偏光子は、液晶層を通過した光を偏光させるためにあり、第１の光源を作動させて光を生成することは、ポジティブディスプレイ出力を生成し、第２の光源を作動させて光を生成することは、ネガティブディスプレイ出力を生成する。
2020528573.tif 000002
【特許請求の範囲】
【請求項１】
ディスプレイ出力を生成するディスプレイユニットであって、
第１の光源と、
第１の偏光方向において前記第１の光源からの光を偏光させるように配置される第１の背面偏光子と、
第２の光源と、
前記第１の偏光方向に対して直交する第２の偏光方向において前記第２の光源からの光を偏光させるように配置される第２の背面偏光子とを含み、
前記第１の光源及び前記第２の光源は、前記第１の光源からの光が前記第２の背面偏光子を通過せず、前記第２の光源からの光が前記第１の背面偏光子を通過しない、ように配置され、
当該ディスプレイユニットは、
第１の基板と、
第２の基板と、
前記第１の基板と前記第２の基板との間に位置付けられる液晶層とを含み、
前記第１の基板、前記第２の基板、及び前記液晶層は、前記第１の背面偏光子によって偏光された前記第１の光源からの光を受光し、前記第２の背面偏光子によって偏光された前記第２の光源からの光を受光する、ように配置され、
当該ディスプレイユニットは、
光を偏光するように配置される正面偏光子を含み、該正面偏光子は、前記ディスプレイ出力を生成するために前記液晶層を通過した光を偏光させるためにあり、
前記第１の光源からの光は、前記ディスプレイ出力をポジティブディスプレイ出力として生成し、前記第２の光源からの光は、前記ディスプレイ出力をネガティブディスプレイ出力として生成する、
ディスプレイユニット。
【請求項２】
前記ディスプレイユニットは、制御ユニットを更に含む、請求項１に記載のディスプレイユニット。
【請求項３】
前記制御ユニットは、前記第１の光源が光を生成して前記ポジティブディスプレイ出力を生成している間に、前記第２の光源をオフにするか或いは非アクティブ化するように構成される、請求項１に記載のディスプレイユニット。
【請求項４】
前記制御ユニットは、前記第２の光源が光を生成して前記ネガティブディスプレイ出力を生成している間に、前記第１の光源をオフにするか或いは非アクティブ化するように構成される、請求項２又は３に記載のディスプレイユニット。
【請求項５】
前記第１の光源及び前記第２の光源の両方からの光は、前記ディスプレイ出力を混合されたディスプレイ出力として生成する、請求項２、３又は４に記載のディスプレイユニット。
【請求項６】
前記制御ユニットは、前記第１の光源及び／又は前記第２の光源を制御して、それらによって生成される光の強度を調整するように構成され、且つ／或いは、前記第１の光源及び／又は前記第２の光源を制御して、それらによって生成される光の色を調整するように構成される、請求項２乃至５のうちのいずれか１項に記載のディスプレイユニット。
【請求項７】
半透明部分を含む外側ハウジングと、
請求項１乃至６のうちのいずれか１項に記載のディスプレイユニットとを含む、
ライト装置であって、
前記ディスプレイユニットは、前記外側ハウジングの一部で前記ディスプレイ出力を生成するように配置され、
前記ディスプレイユニットの前記第１の光源は、前記第１の光源によって生成される光が、前記半透明部分に、並びに前記第１の基板、前記第２の基板及び前記液晶層に入射する、ように配置される、
ライト装置。
【請求項８】
前記ディスプレイユニットは、前記外側ハウジングの前記半透明部分の一部で前記ディスプレイ出力を生成するように構成される、請求項７に記載のライト装置。
【請求項９】
少なくとも、前記ディスプレイユニットの前記正面偏光子は、前記外側ハウジングの内又は上に含められる、請求項７又は８に記載のライト装置。
【請求項１０】
ディスプレイ出力を生成するためにディスプレイユニットを作動させる方法であって、
前記ディスプレイユニットは、第１の光源と、第１の偏光方向において前記第１の光源からの光を偏光させるように配置される第１の背面偏光子と、第２の光源と、前記第１の偏光方向に対して直交する第２の偏光方向において前記第２の光源からの光を偏光させるように配置される第２の背面偏光子とを含み、前記第１及び第２の光源は、前記第１の光源からの光が前記第２の背面偏光子を通過せず、前記第２の光源からの光が前記第１の背面偏光子を通過しない、ように配置され、前記ディスプレイユニットは、第１の基板と、第２の基板と、前記第１の基板と前記第２の基板との間に位置付けられる液晶層とを含み、前記第１の基板、前記第２の基板、及び前記液晶層は、前記第１の背面偏光子によって偏光された前記第１の光源からの光を受光し、前記第２の背面偏光子によって偏光された前記第２の光源からの光を受光する、ように配置され、前記ディスプレイユニットは、前記第１の偏光方向又は前記第２の偏光方向の１つにおいて光を偏光するように配置される正面偏光子を含み、該正面偏光子は、前記ディスプレイ出力を生成するために前記液晶層を通過した光を偏光させるためにあり、当該方法は、
前記第１の光源を作動させて光を生成して前記ディスプレイ出力をポジティブディスプレイ出力として生成するステップと、
前記第２の光源を作動させて光を生成して前記ディスプレイ出力をネガティブディスプレイ出力として生成するステップとを含む、
方法。
【請求項１１】
当該方法は、
前記第１の光源が光を生成して前記ポジティブディスプレイ出力を生成している間に、前記第２の光源をオフにするか或いは非アクティブ化するステップを更に含む、
請求項１０に記載の方法。
【請求項１２】
当該方法は、
前記第２の光源が光を生成して前記ネガティブディスプレイ出力を生成している間に、前記第１の光源をオフにするか或いは非アクティブ化するステップを更に含む、
請求項１０又は１１に記載の方法。
【請求項１３】
当該方法は、
前記第１の光源及び／又は前記第２の光源を制御して、それらによって生成される光の強度を調整し、且つ／或いは前記第１の光源及び／又は前記第２の光源を制御して、それらによって生成される光の色を調整するステップを更に含む、
請求項１０乃至１２のうちのいずれか１項に記載の方法。
【請求項１４】
当該方法は、
前記第１の光源によって生成される前記光の明るさ又は強度を徐々に減少させることによって、並びに／或いは前記第２の光源によって生成される前記光の明るさ又は強度を徐々に増大させることによって、前記ポジティブディスプレイ出力から前記ネガティブディスプレイ出力への漸進的な移行をもたらすステップを更に含む、
請求項１０乃至１３のうちのいずれか１項に記載の方法。
【請求項１５】
当該方法は、
前記第２の光源によって生成される前記光の明るさ又は強度を徐々に減少させることによって、並びに／或いは前記第１の光源によって生成される前記光の明るさ又は強度を徐々に増大させることによって、前記ネガティブディスプレイ出力から前記ポジティブディスプレイ出力への漸進的な移行をもたらすステップを更に含む、
請求項１０乃至１４のうちのいずれか１項に記載の方法。
【請求項１６】
コンピュータ可読媒体を含む、コンピュータプログラム製品であって、前記コンピュータ可読媒体は、その上に具現されるコンピュータ可読コードを有し、該コンピュータ可読コードは、適切なコンピュータ又はプロセッサによって実行されるときに、前記コンピュータ又は前記プロセッサに請求項１０乃至１５のうちのいずれか１項に記載の方法を実行させるように構成される、コンピュータプログラム製品。
【発明の詳細な説明】
【技術分野】
【０００１】
本発明は、例えば、ライト装置(light  apparatus)のような、電子デバイスにおける使用のための改良されたディスプレイユニット、及びディスプレイユニットの改良された作動方法に関する。
【背景技術】
【０００２】
標準的なアラーム時計(目覚まし時計)又はアラームとしての電話の代替として、いわゆるウェイクアップライト(目覚ましライト)(wake-up  light)を夜間スタンド又はベッドサイドテーブルに置くことができる。ウェイクアップライトを使用して、生成される光の強度を徐々に増加させて、ユーザがより自然に目覚めるのを助けることができる。場合によっては、ウェイクアップライトによって生成される光の色を調整して、日の出の間に生成される色を模倣することができる。この照明又は目覚まし機能を提供することに加えて、ウェイクアップライトは、典型的には、時間、アラーム時刻、ウェイクアップライトの設定などのような情報をユーザに表示するためのディスプレイも含む。この情報は、ウェイクアップライトがオフにされているときに、並びにウェイクアップライトが光を生成しているときに、見えなければならない。Philips  Wake-Up  Light  HF3520は、このタイプのウェイクアップライトの一例である。
【０００３】
これらのディスプレイは、典型的には、（ウェイクアップライト装置が大きすぎないよう）ウェイクアップライトの主照明部分の近くに配置されるので、ディスプレイユニットは、そのようなライトが使用されることがある全ての状況において、特にウェイクアップライトがオンにされて光を生成しているときに、情報がユーザに見えることを可能にするように設計されなければならない。例えば、情報は、ウェイクアップライトがオンにされて光を生成しているか或いはオフにされているか否かに拘わらず、昼間及び夜間の両方で明瞭に見えなければならない。これらのディスプレイは、典型的には、ウェイクアップ光源がオフにされる夜間の間に情報が見られることを可能にするために背面照明される液晶ディスプレイ（ＬＣＤ）パネルを利用し、バックライトは、ウェイクアップ光源が光を生成しているときに、ウェイクアップ光源と「競争(compete)」しなければならない。
【発明の概要】
【発明が解決しようとする課題】
【０００４】
従って、異なる照明条件においてユーザに表示される情報の視認性を向上させるためにディスプレイを統合することができる、ウェイクアップライトや光治療デバイス及びムード照明デバイスのような他の装置で使用することができる、ディスプレイユニットの改良の必要がある。
【課題を解決するための手段】
【０００５】
第１の態様によれば、ディスプレイ出力を生成するディスプレイユニットが提供され、ディスプレイユニットは、第１の光源と、第１の偏光方向において第１の光源からの光を偏光させるように配置される第１の背面偏光子と、第２の光源と、第１の偏光方向に対して直交する第２の偏光方向において第２の光源からの光を偏光させるように配置される第２の背面偏光子と、第１の基板と、第２の基板と、第１の基板と第２の基板との間に位置付けられる液晶層とを含み、第１の基板、第２の基板、及び液晶層は、第１の背面偏光子によって偏光された第１の光源からの光を受光し、第２の背面偏光子によって偏光された第２の光源からの光を受光する、ように配置され、ディスプレイユニットは、光を偏光するように配置される正面偏光子を含み、正面偏光子は、液晶層を通過した光を偏光させるためにあり、第１の光源を作動させて光を生成することは、ポジティブディスプレイ出力を生成し、第２の光源を作動させて光を生成することは、ネガティブディスプレイ出力を生成する。
【０００６】
幾つかの実施形態において、ディスプレイユニットは、制御ユニットを更に含む。
【０００７】
幾つかの実施形態において、制御ユニットは、第１の光源が光を生成してポジティブディスプレイ出力を生成している間に、第２の光源をオフにするか或いは非アクティブ化するように構成される。
【０００８】
幾つかの実施形態において、制御ユニットは、第２の光源が光を生成してネガティブディスプレイ出力を生成している間に、第１の光源をオフにするか或いは非アクティブ化するように構成される。
【０００９】
幾つかの実施形態において、制御ユニットは、第１の光源及び第２の光源を作動させて、光を同時に生成して、混合されたディスプレイ出力を生成する、ように構成される。
【００１０】
幾つかの実施形態において、制御ユニットは、第１の光源及び／又は第２の光源を制御して、それらによって生成される光の強度を調整するように構成され、且つ／或いは、第１の光源及び／又は第２の光源を制御して、それらによって生成される光の色を調整するように構成される。
【００１１】
第２の態様によれば、半透明部分を含む外側ハウジングと、上述のディスプレイユニットとを含む、ライト装置が提供され、ディスプレイユニットは、外側ハウジングの一部でディスプレイ出力を生成するように配置され、ディスプレイユニットの第１の光源は、第１の光源によって生成される光が半透明部分に、並びに第１の基板、第２の基板及び液晶層に入射する、ように配置される。
【００１２】
幾つかの実施形態において、ディスプレイユニットは、外側ハウジングの半透明部分の一部でディスプレイ出力を生成するように構成される。
【００１３】
幾つかの実施形態において、少なくとも、ディスプレイユニットの正面偏光子は、外側ハウジングの内又は上に含められる。
【００１４】
第３の態様によれば、ディスプレイ出力を生成するためにディスプレイユニットを作動させる方法が提供され、ディスプレイユニットは、第１の光源と、第１の偏光方向において第１の光源からの光を偏光させるように配置される第１の背面偏光子と、第２の光源と、第１の偏光方向に対して直交する第２の偏光方向において第２の光源からの光を偏光させるように配置される第２の背面偏光子と、第１の基板と、第２の基板と、第１の基板と第２の基板との間に位置付けられる液晶層とを含み、第１の基板、第２の基板、及び液晶層は、第１の背面偏光子によって偏光された第１の光源からの光を受光し、第２の背面偏光子によって偏光された第２の光源からの光を受光する、ように配置され、ディスプレイユニットは、第１の偏光方向又は第２の偏光方向の１つにおいて光を偏光するように配置される正面偏光子を含み、正面偏光子は、液晶層を通過した光を偏光させるためにあり、当該方法は、第１の光源を作動させて光を生成してディスプレイ出力をポジティブディスプレイ出力として生成するステップと、第２の光源を作動させて光を生成してディスプレイ出力をネガティブディスプレイ出力として生成するステップとを含む。
【００１５】
幾つかの実施形態において、方法は、第１の光源が光を生成してポジティブディスプレイ出力を生成している間に、第２の光源をオフにするか或いは非アクティブ化するステップを更に含む。
【００１６】
幾つかの実施形態において、方法は、第２の光源が光を生成してネガティブディスプレイ出力を生成している間に、第１の光源をオフにするか或いは非アクティブ化するステップを更に含む。
【００１７】
幾つかの実施形態において、方法は、第１の光源及び第２の光源を操作動させて同時に光を生成して、混合されたディスプレイ出力を生成するステップを更に含む。
【００１８】
幾つかの実施形態において、方法は、第１の光源及び／又は第２の光源を制御して、それらによって生成される光の強度を調整し、且つ／或いは第１の光源及び／又は第２の光源を制御して、それらによって生成される光の色を調整するステップを更に含む。
【００１９】
幾つかの実施形態において、方法は、第１の光源によって生成される光の明るさ又は強度を徐々に減少させることによって、並びに／或いは第２の光源によって生成される光の明るさ又は強度を徐々に増大させることによって、ポジティブディスプレイ出力からネガティブディスプレイ出力への漸進的な移行を提供するステップを更に含む。
【００２０】
幾つかの実施形態において、方法は、第２の光源によって生成される光の明るさ又は強度を徐々に減少させることによって、並びに／或いは第１の光源によって生成される光の明るさ又は強度を徐々に増大させることによって、ネガティブディスプレイ出力からポジティブディスプレイ出力への漸進的な移行を提供するステップを更に含む。
【００２１】
第４の態様によれば、コンピュータ可読媒体を含む、コンピュータプログラム製品が提供され、コンピュータ可読媒体は、その上に具現されるコンピュータ可読コードを有し、コンピュータ可読コードは、適切なコンピュータ又はプロセッサによって実行されるときに、コンピュータ又はプロセッサに上述の方法を実行させるように構成される。
【００２２】
幾つかの実施形態において、コンピュータ又はプロセッサは、上述のようにディスプレイユニットを作動させるように構成され或いは適合される。
【００２３】
本発明のこれらの態様及び他の態様は、以下に記載する（複数の）実施形態から明らかであり、それ（それら）を参照して解明されるであろう。
【００２４】
次に、以下の図面を参照して、ほんの一例として、本発明の例示的な実施形態を記載する。
【図面の簡単な説明】
【００２５】
【図１】（ａ）は、ポジティブディスプレイ出力を生成するように構成されたディスプレイユニットを示しており、（ｂ）は、ポジティブディスプレイ出力を示している。
【図２】（ａ）は、ネガティブディスプレイ出力を生成するように構成されたディスプレイユニットを示しており、（ｂ）は、ネガティブディスプレイ出力を示している。
【図３】Philips  HF3520  Wake-Up  Lightの正面の表現である。
【図４】例示的なライト装置の正面の表現である。
【図５】本発明のある実施形態に従ったディスプレイユニットを例示する図である。
【図６】図５のディスプレイユニットを作動させる方法を例示するフローチャートである。
【図７】本発明のある実施形態に従ったディスプレイユニットを含むライト装置を例示する図である。
【発明を実施するための形態】
【００２６】
液晶ディスプレイ（ＬＣＤ）パネルは、ユーザに情報を表示する際に使用するためによく知られており、様々な電子デバイスに組み込まれている。ＬＣＤパネルは、ＬＣＤパネルを照らすための光を提供するためのバックライトを備えることができ、偏光子を使用して、ＬＣＤパネルを通過する光から表示される情報を作り出す。図１及び図２は、ＬＣＤパネルを使用して情報を表示することができる２つの方法を例示している。
【００２７】
図１（ａ）は、いわゆる「ポジティブ(陽)(positive)」ディスプレイ出力を作り出す従来的なＬＣＤベースのディスプレイユニット２の１つの実施を示している。ディスプレイユニット２は、（ユーザの視点からＬＣＤパネルの背後に配置されるので「バックライト(backlight)」とも呼ぶ）光源４と、２つの基板の間に挟装される液晶層を含むＬＣＤパネル６であって、２つの偏光子の間に配置されるＬＣＤパネル６と、バックライト４とＬＣＤパネル６との間にある背面偏光子８(後方偏光子)(back  polarizer)と、バックライト４に対してＬＣＤパネル６の反対側に配置される正面偏光子１０(前方偏光子)(front  polarizer)とを含む。背面偏光子８及び正面偏光子１０は、それらが光を偏光する方向が直交する（即ち、互いに対して９０°である）ように配置される。例えば、図１（ａ）に示すように、背面偏光子８は、垂直方向の整列を有することができ（よって、バックライト４からの光は、垂直方向に偏光されたＬＣＤパネル６を通過し）、正面偏光子１０は、水平方向の整列を有することができる（よって、水平方向の成分を有するＬＣＤパネル６からの光のみが、正面偏光子１０を通過する）。ＬＣＤパネル６内の液晶層に印加される電場がないときに、液晶は光導波路として作用し、偏光の平面を４分の１回転（９０°）だけ回転させるので、正面偏光子１０に到達する光はそれを通過することができる。このディスプレイユニット２によって生成されるディスプレイ出力１２の一例が図１（ａ）及び図１（ｂ）に示されている。よって、この構成は、表示されるべき情報を共に形成するセグメント１４が暗く（よって、バックライト４からの光が、これらのセグメント１４のために偏光子８、１２及びＬＣＤパネル６によって遮断され）、バックグラウンド１６が、偏光子８、１２及びＬＣＤパネル６を通過したバックライト４からの光によって点灯される、ポジティブディスプレイ出力１２を生成する。表示されるべき情報に基づいてＬＣＤパネル６を制御して、セグメント１４のうちのどのセグメントがポジティブディスプレイ出力１２において暗いかを決定する。
【００２８】
図２（ａ）は、いわゆる「ネガティブ(陰)(negative)」ディスプレイ出力を作り出す従来的なＬＣＤベースのディスプレイユニット２２の１つの実施を示している。ネガティブディスプレイは、表示されるべき情報を表すセグメントが照明され、バックグラウンドが暗いという点において、ポジティブディスプレイと逆である。正面偏光子及び背面偏光子が同じ方向において光を偏光するように正面偏光子及び背面偏光子を配置することによってネガティブディスプレイ出力を得ることができる。より詳細には、ディスプレイユニット２２は、光源／バックライト２４と、ＬＣＤパネル２６とを含む。ＬＣＤパネル２６は、２つの偏光子、即ち、バックライト２４とＬＣＤパネル２６との間にある背面偏光子２８と、バックライト２４に対してＬＣＤ２６の反対側にある正面偏光子３０との間に位置付けられる。背面偏光子２８及び正面偏光子３０は、それらが光を偏光する方向が同じになるように、配置される。例えば、図２（ａ）に示すように、背面偏光子２８及び正面偏光子３０は、両方とも水平方向の整列を有することができる。このディスプレイユニット２２によって生成されるディスプレイ出力３２の一例が図２（ａ）及び図２（ｂ）に示されている。よって、この構成は、表示されるべき情報を共に形成するセグメント３４がバックライト２４からの光によって点灯され、残余のセグメント及びバックグラウンド３６が暗い（よって、バックライト２４からの光はディスプレイ３２のこれらの部分において遮断される）、ネガティブディスプレイ出力３２を生成する。表示される情報に基づいてＬＣＤパネル２６を制御して、セグメント３４のうちのどのセグメントがネガティブディスプレイ出力３２において点灯されるかを決定する。
【００２９】
グラフィカルＬＣＤ（例えば、ドットマトリクスディスプレイ）の場合には、ピクセルが駆動される方法に基づいてポジティブディスプレイ出力又はネガティブディスプレイ出力を提供することが可能であるが（例えば、ネガティブディスプレイを用いるならば、ピクセルはポジティブディスプレイに対して反転される）、典型的には、ポジティブディスプレイ出力又はネガティブディスプレイ出力を使用するか否かの選択は、ディスプレイユニットの設計中に行われ、変更することはできない（これは特にバックグラウンドが点灯されないセグメント化されたディスプレイに当て嵌まる）。しかしながら、ウェイクアップライト又は類似の装置におけるような特定の用途においては、ある時間に亘ってポジティブディスプレイ出力を提供し、ある時間に亘ってネガティブディスプレイ出力を提供するように、ディスプレイユニットを作動させることが、有用であり得る。
【００３０】
例えば、Philips  Wake-Up  Light  HF3520には、Wake-Up  Lightの主光源（即ち、「ウェイクアップ」光を提供する光源）によって照らされる正面シェル（ハウジング）が提供され、主光源によって照らされないデバイスの正面の下部に設けられるそれ自体のバックライトを有するＬＣＤベースのディスプレイユニットが提供される。これは図３に例示されている。図３は、Philips  HF3520  Wake-Up  Lightの正面の表現であり、ウェイクアップライト４２は、ライト４２の主光源によって照らされる照明部分４４と、時間のような情報４８を表示するディスプレイ部分４６とを有する、ハウジング４３を含む。照明部分４４及びディスプレイ部分４６は、両方ともハウジング４３の半透明部分であるが（実際には、Philips  HF3520において、前面全体が単一の半透明シェルであるが）、ディスプレイ部分４６は、ウェイクアップライト４２の主光源によって照らされない。Philips  HF3520  Wake-Up  Lightにおいて、ディスプレイ部分４６の背後のディスプレイユニットは、ウェイクアップライトが「ウェイクアップ」ライトを生成しているときに、ディスプレイのバックグラウンドが（照らされない）ディスプレイ部分４６に対して目立たないように、そして、ウェイクアップライトが光を生成していないときに（例えば、環境が暗い夜間に）、必要以上に光を放射しないように、ネガティブディスプレイ出力を生成するように構成される。
【００３１】
ハウジング４３のディスプレイ部分４６は、照明部分４４を照らす光源によって照らされないので、ディスプレイ部分４６の存在は、（照明部分４４を同じ明るさ(brightness)に維持するために）ウェイクアップライト４２の全体的なサイズを増加させるか、或いはより大きな照明部分４４と同じレベルの光出力を生成するようより明るい光を必要とし、（その場合には、ウェイクアップライトがオンであるときにディスプレイ部分４６が依然として見えることを補償するために、ディスプレイ部分４６の明るさも増加させられる必要があることがある）。
【００３２】
従って、ディスプレイ情報／ディスプレイ出力を、別個のディスプレイ部分４６ではなく、照明部分４４に示すことができる、ライト装置を提供し得ることが望ましい。そのような装置の正面図が図４に示されている。このライト装置５２は、半透明部分５４（この例では、前面全体）を有するハウジング５３又はシェルを含み、情報５６は、ハウジング５３内のディスプレイユニットによって半透明部分５４内又は上に表示されるので、それはライト装置５２を見ているユーザに見える。ライト装置５２の正面表面の円形の形状は例示的であるにすぎず、他の形状又は構成を使用し得ることが理解されるであろう。同様に、この例は、正面表面の全体として半透明部分５４を示しているが、他の設計が可能であること、例えば、半透明部分５４は境界を有し得ることが理解されるであろう。
【００３３】
よって、この例示的な装置５２では、ライト装置５２の主光源が半透明部分５４を照らしているときに（即ち、ＬＣＤパネルのバックグラウンド部分を示さずに）情報５６の「クリーンな(clean)」表示を提供するために、装置５２の内側のディスプレイユニットは、ディスプレイユニットバックライトが、ライト装置５２の主光源によって照らされる半透明部分５４の周囲部分と同じ色と明るさを有するポジティブディスプレイ出力のバックグラウンドのための光を提供する、ポジティブディスプレイを提供するように作動しなければならない。しかしながら、主光源による光出力とディスプレイユニットによる光出力との整合(matching)を達成することは実際には困難であり得るし、上記のように、ポジティブディスプレイ出力は、主光源がオフにされるときには（特に装置５２の周囲の環境が暗いときには）最適でなく、ネガティブディスプレイ出力が好ましい。
【００３４】
当業者は、ＬＣＤディスプレイ内のピクセル又はセグメントが駆動される方法が、ポジティブディスプレイ出力又はネガティブディスプレイ出力が提供されるか否かを決定し得ることを理解するであろう。フルピクセル／セグメントディスプレイの場合（即ち、ＬＣＤパネルの全ての要素が駆動される／制御可能である場合）、ピクセル又はセグメントが駆動される方法を反転すること（よって、アクティブなピクセル又はセグメントが非アクティブピクセル又はセグメントになり、逆もまた同様であること）は、（例えば、図１（ｂ）及び図２（ｂ）から分かるように）情報の有用な表示を依然として提供することができる。しかしながら、これは、バックグラウンド１６、３６が駆動されない／制御可能でないディスプレイに当て嵌らない。何故ならば、その場合には、アクティブ／非アクティブピクセル／セグメントのみが反転され、これは不正確になる或いは判読不能になる情報をもたらすからである。加えて、ポジティブディスプレイ出力及びネガティブディスプレイ出力を提供するためにアクティブ／非アクティブピクセル／セグメントの制御を反転することは、ディスプレイユニットが、光源が光を常に生成しないときのウェイクアップライトのようなライト装置において使用されるときに適しておらず、よって、ポジティブディスプレイ出力とネガティブディスプレイ出力との間を切り替える代替的な機構が必要とされる。更に、ピクセルをポジティブ又はネガティブのいずれかにするようにピクセルを制御することによって、漸進的な変化をもたらす可能性は、グレースケールのレベル又は色の数に依存する。ディスプレイが白黒(モノクローム)であるときには、１つのステップでポジティブからネガティブにまたその逆に切り替えることが可能なだけである。
【００３５】
したがって、本発明は、ポジティブディスプレイ出力及びネガティブディスプレイ出力を選択的に提供するように制御されることができ、かつ、ライト装置の主光源が光を生成している間に並びにライト装置の主光源が光を生成していないときに情報が表示されるべきであるライト装置における使用に適した、ディスプレイユニットを提供することによって、これらの問題に対処する。よって、本発明に従ったディスプレイユニットを含む、ウェイクアップライト、光治療デバイス又はムード照明デバイスのような、ライト装置は、主光源が作動しているときに主光源によって照らされる装置のハウジングの一部にポジティブディスプレイ出力の形態の情報の表示を提供することができ、主光源がアクティブでないときにネガティブディスプレイ出力の形態の情報の表示を提供することができる（或いはライト装置の設計要件に依存してその逆もまた同様である）。
【００３６】
本発明によれば、ＬＣＤパネルは、ディスプレイユニットにポジティブディスプレイ出力及びネガティブディス婦異例出力を提供させるために選択的に使用される２つの光源を備える。本発明に従ったディスプレイユニットの例示的な実施形態が図５に示されている。
【００３７】
よって、ディスプレイユニット１０２は、２つの基板１０５ａ、１０５ｂの間に挟装される或いは位置付けられる液晶層を含む、ＬＣＤパネル１０４を含む。基板１０７ａ、１０７ｂは、ガラス又は任意の他の適切な材料から形成されることができ、基板１０５ａ、１０５ｂの一方又は両方は、複数の電極を含むことができ、各電極は、ＬＣＤパネル１０４の特定のピクセル又はディスプレイセグメントと関連付けられる。従来のように、特定のピクセル又はセグメントに対応する基板１０５ａ、１０５ｂ上の電極又は複数の電極を使用して、液晶層内のそのピクセル又はセグメントについての液晶の偏光方向を変更又は設定し、それにより、ディスプレイユニット１０２の出力に影響を与えることができる。幾つかの実施形態において、液晶層は、（例えば、電極によって）液晶層（又はその部分）に印加される電場がないときに、液晶が光導波路として作用し、入射光の偏光の平面を４分の１回転（９０°）だけ回転させるような、液晶層であることができる。これらの実施形態では、電場が液晶層（又はその部分）に印加されるとき、液晶は、電場と整列し、液晶は、入射光の偏光の平面をもはや回転しない。代替的な実施形態において、液晶層は、液晶層（又はその部分）に印加される電場がないときに、液晶が光導波路として作用し、入射光の偏光の平面を４分の１回転以外の量（例えば、４５°）だけ回転させ、電場が印加されるときに、電場が印加されないときと比較して９０°だけ光の回転をもたらすために、液晶が入射光の偏光の平面を対応する量（例えば、−４５°）だけ回転させるように作用するような、液晶層であることができる。
【００３８】
ディスプレイユニット１０２は、（第１の「バックライト」とも呼ぶ）第１の光源１０６や、第１の光源１０６とＬＣＤパネル１０４との間にある第１の背面偏光子１０８も含む。第１の背面偏光子１０８は、第１の光源１０６からの光を第１の偏光方向において偏光するように構成される。図５に示される例示的な構成において、第１の背面偏光子１０８は、垂直方向の整列を有する（よって、光を垂直方向に偏光する）が、任意の他の偏光方向を使用し得ることが理解されるであろう。第１の光源１０６は、１つ又はそれよりも多くのＬＥＤを含む発光ダイオード（ＬＥＤ）ベースの光源であることができる。１つ又はそれよりも多くのＬＥＤは、個々に及び／又は組み合わせにおいて所望の色の光及び／又は所望の明るさ若しくは輝度(luminance)の光を生成するように制御可能である１つ又はそれよりも多くの色を有するＬＥＤを含むことができる。ＬＥＤの代替として、第１の光源１０６は、１つ又はそれよりも多くの有機ＬＥＤ（ＯＬＥＤ）、ハロゲン電球、白熱電球、又は低圧水銀電球であることができる。
【００３９】
ディスプレイユニット１０２は、ＬＣＤパネル１０４と第１の背面偏光子１０８との間に位置付けられる或いは配置される拡散器又は拡散パネル１０９も含む。拡散器１０９は、ＬＣＤパネル１０４が入射光によってより均一に照らされるように、入射光をその上で拡散する或いは「広げる」ように作用する。幾つかの実施形態において、拡散器１０９は、例えば、ＬＣＤパネル１０４から出る光が拡散器１０９を通過するように、ディスプレイユニット１０２内の異なる場所にあってもよいことが理解されよう。
【００４０】
第１の光源１０６及び第１の背面偏光子１０８は、第１の光源１０６によって放射される或いは生成される光が第１の背面偏光子１０８によって偏光され、この偏光された光が拡散器１０９を介してＬＣＤパネル１０４に入射するように、配置される。
【００４１】
第１の光源１０６及び第１の背面偏光子１０８に加えて、ディスプレイユニット１０２は、第２の光源１１０と、第２の背面偏光子１１２とを含む。第２の光源１１０を第２の「バックライト」とも呼ぶ。第２の背面偏光子１１２は、第２の光源１１０と拡散器１０９とＬＣＤパネル１０４との間に設けられる。第２の背面偏光子１１２は、第２の偏光方向において第２の光源１１０からの光を偏光するために設けられる。第２の光源１１０及び第２の背面偏光子１１２は、第２の光源１１０によって放射される或いは生成される光が第２の背面偏光子１１２によって偏光され、この偏光された光が拡散器１０９を介してＬＣＤパネル１０４に入射するように、配置される。第２の光源１１０は、１つ又はそれよりも多くのＬＥＤを含む発光ダイオード（ＬＥＤ）ベースの光源であることができる。１つ又はそれよりも多くのＬＥＤは、個々に及び／又は組み合わせにおいて所望の色の光及び／又は所望の明るさ若しくは輝度の光を生成するように制御可能である１つ又はそれよりも多くの色を有するＬＥＤを含むことができる。ＬＥＤの代替として、第２の光源１１０は、１つ又はそれよりも多くの有機ＬＥＤ（ＯＬＥＤ）、ハロゲン電球、白熱電球、又は低圧水銀電球であることができる。
【００４２】
第２の光源１１０からの光を使用して第１の光源１０６とは反対のディスプレイモードにあるディスプレイを形成することができるように、第２の偏光方向は、第１の背面偏光子１０８の第１の偏光方向に対して直交する（即ち、第２の偏光方向は、第１の偏光方向に対して９０°だけ回転される）。図５に示される例示的な構成において、第１の背面偏光子１０８は、垂直方向の整列／垂直な偏光方向を有し、従って、第２の背面偏光子１１２は、水平方向の整列／水平な偏光方向を有する。もちろん、第１の背面偏光子１０８の偏光方向が第２の背面偏光子１１２の偏光方向と反対である（即ち、直交する）ことを条件として、他の偏光方向を使用し得ることが理解されるであろう。
【００４３】
第１の光源１０６及び第１の背面偏光子１０８は、第１の光源１０６からの光が第２の背面偏光子１１２を通過して拡散器１０９及びＬＣＤパネル１０４に向かわず、第２の光源１１０からの光が第１の背面偏光子１０８を通過して拡散器１０９及びＬＣＤパネル１０４に向かわないという意味で、第２の光源１１０及び第２の背面偏光子１１２との別個の光路を形成する。幾つかの実施では、第１の光源１０６からの光が第２の背面偏光子１１２に入射できないように、第１の光源１０６を第２の背面偏光子１１２から実質的に又は完全に光学的に分離されることができ、同様に、第２の光源１１０からの光が第１の背面偏光子１０８に入射できないように、第２の光源１１０を第１の背面偏光子１０８から実質的に又は完全に光学的に分離されることができる。
【００４４】
ディスプレイユニット１０２は、光源１０６、１１０とは反対のＬＣＤパネル１０４の側に配置された正面偏光子１１４も含む。正面偏光子１１４は、ディスプレイ出力を生成するためにＬＣＤパネル１０４を透過する或いは通過する光を偏光するように構成される。正面偏光子１１４の偏光方向、及びＬＣＤパネル１０４のピクセル／セグメントが駆動される方法は、第１の光源１０６及び第２の光源１１０のうちのどれを用いてポジティブディスプレイ出力及びネガティブディスプレイ出力をもたらすかを決定する。
【００４５】
図５に示す例示的な構成において、正面偏光子１１４は、第２の背面偏光子１１２と同じ偏光方向、即ち、第１の背面偏光子１０８の偏光方向とは反対の偏光方向を有する（しかしながら、ＬＣＤパネル１０４内の液晶が入射光に及ぼす影響に依存して、正面偏光子１１４の偏光方向は異なり得ることが理解されるであろう）。従って、ＬＣＤパネル１０４内のピクセル／セグメントが適切に駆動されるならば、第１の光源１０６からの光は、それが第１の背面偏光子１０８、ＬＣＤパネル１０４及び正面偏光子１１４を通過した後に、（例えば、図１（ｂ）に示すように）ポジティブディスプレイ出力を形成することができ、第２の光源１１０からの光は、それが第２の背面偏光子１１２、ＬＣＤパネル１０４及び正面偏光子１１４を通過した後に、（例えば、図２（ｂ）に示すように）ネガティブディスプレイ出力を形成することができる。ＬＣＤパネル１０４内のピクセル／セグメントの駆動が上記に対して反転されるならば、第１の光源１０６からの光は、それが第１の背面偏光子１０８、ＬＣＤパネル１０４及び正面偏光子１１４を通過した後に、（例えば、図２（ｂ）に示すように）ネガティブディスプレイ出力を形成することができ、第２の光源１１０からの光は、それが第２の背面偏光子１１２、ＬＣＤパネル１０４及び正面偏光子１１４を通過した後に、（例えば、図１（ｂ）に示すように）ポジティブディスプレイ出力を形成することができる。上記のいずれの場合においても、ＬＣＤパネル１０４は、第１の光源１０６及び第２の光源１１０のどちらが光を生成しているかに拘わらず、同じように駆動される（即ち、ＬＣＤパネル１０４が駆動される方法は、アクティブ光源１０６、１１０が変更されるときに反転されない）ことが留意されるべきである。換言すれば、特定の情報（例えば、特定の時間）を表示するために使用される制御信号は、ディスプレイ出力がポジティブであるかネガティブであるかに拘わらず同じである。本発明によれば、ポジティブディスプレイ出力とネガティブディスプレイ出力との間の切替えは、ＬＣＤパネル１０４のための光を生成する光源１０６、１１０を単に切り替えることによってもたらされる。
【００４６】
正面偏光子１１４の偏光方向が、第１の背面偏光子１０８と同じ偏光方向であり、よって、（ＬＣＤパネル１０４が同じように駆動されて）第２の背面偏光子１１２の偏光方向と反対であるならば、第１の光源１０６からの光は、（例えば、図２（ｂ）に示すような）ネガティブディスプレイ出力を形成し、第２の光源１１０からの光は、（例えば、図１（ｂ）に示すような）ポジティブディスプレイ出力を形成することが、当業者によって理解されるであろう。
【００４７】
最後に、図５の表示ユニット１０２は、制御ユニット１１６を含む。制御ユニット１１６は、ＬＣＤパネル１０４を制御して、（例えば、第１の基板１０５ａ及び／又は第２の基板１０５ｂ上の電極に適切な制御信号を提供することによって）所要の情報の表示をもたらすためにあることができる。幾つかの実施形態において、制御ユニット１１６は、第１の光源１０６及び／又は第２の光源１１０を制御することができる。特に、制御ユニット１１６は、第１の光源１０６及び第２の光源１１０のアクティブ化(起動)及び非アクティブ化(停止)を制御することができる。追加的に又は代替的に、第１の光源１０６及び第２の光源１１０のうちの少なくとも１つのアクティブ化及び非アクティブ化は、ディスプレイユニット１０２のユーザによって制御されることができる。
【００４８】
更なる実施形態において、制御ユニット１１６は、第１の光源１０６によって生成される光及び／又は第２の光源１１０によって生成される光の明るさ又は強度を制御又は調整するように構成されることができる。制御ユニット１１６は、追加的に又は代替的に、第１の光源１０６によって生成される光及び／又は第２の光源１１０によって生成される光の色を制御又は調整するように構成されてよい。
【００４９】
制御ユニット１１６は、本明細書に記載する様々な機能を実行するために、ソフトウェア及び／又はハードウェアを用いて、数多くの方法で実施されることができる。制御ユニット１１６は、所要の機能を実行するために及び／又は所要の機能をもたらすよう制御ユニット１１６の構成要素を制御するために、ソフトウェア又はコンピュータプログラムコードを用いてプログラムされてよい１つ又はそれよりも多くのマイクロプロセッサ又はデジタル信号プロセッサ（ＤＳＰ）を含んでよい。制御ユニット１１６は、幾つかの機能を実行するための専用ハードウェア（例えば、増幅器、前置増幅器、アナログデジタル変換器（ＡＤＣ）及び／又はデジタルアナログ変換器（ＤＡＣ））と、他の機能を実行するためのプロセッサ（例えば、１つ又はそれよりも多くのプログラムされたマイクロプロセッサ、コントローラ、ＤＳＰ及び関連する回路構成）との組み合わせとして実装されてよい。本開示の様々な実施形態において利用されることがある構成要素の例は、従来的なマイクロプロセッサ、ＤＳＰ、特定用途向け集積回路（ＡＳＩＣ）、及びフィールドプログラマブルゲートアレイ（ＦＰＧＡ）を含むが、これらに限定されない。
【００５０】
様々な実装において、制御ユニット１１６は、ＲＡＭ、ＰＲＯＭ、ＥＰＲＯＭ、及びＥＥＰＲＯＭのような、揮発性及び不揮発性コンピュータメモリのような、１つ又はそれよりも多くのメモリユニット（図示せず）と関連付けられてよく、或いはそれらを含んでよい。制御ユニット１１６又は関連するメモリユニットは、本明細書に記載する方法を実行するために制御ユニット１１６内のプロセッサによって実行されることができるプログラムコードを格納するために使用されることもできる。
【００５１】
図６のフローチャートは、本発明のある実施形態に従ったディスプレイユニット１０２を作動させる方法を例示している。
【００５２】
本方法の第１のステップであるステップ２０１では、第１の光源１０６を作動させて光を生成し、これはディスプレイユニット１０２からのポジティブディスプレイ出力を生成する。他のステップであるステップ２０３では、第２の光源１１０を作動させて光を生成し、これはディスプレイユニット１０２からのネガティブディスプレイ出力を生成する。よって、光源の選択は、ディスプレイユニット１０２がポジティブディスプレイ出力を生成するか或いはネガティブディスプレイ出力を生成するかを決定する。
【００５３】
ステップ２０１及び２０３は、図示の順序で実行される必要がなく、ディスプレイユニット１０２は、ネガティブディスプレイ出力に続いて、ポジティブディスプレイ出力を生成するように作動可能であることが理解されるであろう。
【００５４】
本方法の幾つかの実施形態において、ディスプレイユニット１０２のディスプレイ「モード」（即ち、ディスプレイ出力がポジティブであるかネガティブであるか）の制御は、単に、第１の光源１０６及び第２の光源１１０のいずれが光を生成しているかの結果である。従って、この制御は、ユーザが光源１０６、１１０を手動でアクティブ化することによって或いはユーザがディスプレイ出力のタイプ（即ち、ポジティブ又はネガティブ）についての好みを選択することによって提供されることができる。他の実施形態では、本方法は、制御ユニット１１６によって実行されることができる。これらの実施形態において、制御ユニット１１６は、例えば、周囲照明条件、アラームタイマなどに基づいて、どの光源をアクティブ化するかを決定してよい。
【００５５】
幾つかの実施態様において、ディスプレイユニット１０２は、第１の光源１０６が非アクティブされる／オフにされるように、第２の光源１１０が自動的にアクティブされる／オンされるように、並びに逆も同様であるように、構成されることができる。このようにして、光源のうちの少なくとも１つは、常にアクティブであり、それにより、ユーザのためのディスプレイ出力を提供する。
【００５６】
幾つかの実施形態では、第１の光源１０６を作動させて光を生成するとき、制御ユニット１１６は、第２の光源１１０のオフにするか或いは非アクティブ化することができるので、第１の光源１０６からの光は、ポジティブディスプレイ出力を生成することができる。幾つかの実施形態では、第２の光源１１０を作動させて光を生成するとき、制御ユニット１１６は、第１の光源１０６をオフにするか或いは非アクティブ化することができるので、第２の光源１１０からの光は、ネガティブディスプレイ出力を生成することができる。
【００５７】
幾つかの実施形態では、第１の光源及び第２の光源を同時に作動させることができる。これは「混合された(mixed)」ディスプレイ出力をもたらす。ディスプレイ出力は、（図１（ｂ）に示すような）純粋なポジティブディスプレイ出力又は（図２（ｂ）に示すような）純粋なネガティブディスプレイ出力ではないという意味において混合される。例えば、ディスプレイのバックグラウンドは、第１の光源１０６の色を有することができ、アクティブなセグメント／ピクセルは、第２の光源１１０の色を有することができる（或いは逆もまた同様である）。主光源の明るさが徐々に増加又は減少するウェイクアップライト又は他のライト装置においてディスプレイユニット１０２が使用されるときに特に有用であり得る幾つかの実施形態において、制御ユニット１１６は、ポジティブディスプレイ出力からネガティブディスプレイ出力への（又はその逆の）漸進的な移行をもたらすために、光源１０６、１１０の各々の光源の明るさ又は強度を調整することができる。
【００５８】
例えば、ポジティブディスプレイ出力からネガティブディスプレイ出力への漸進的な移行をもたらすために、制御ユニット１１６は、第２の光源１１０によって生成される光の明るさ又は強度を徐々に増加させながら、第１の光源１０６によって生成される光の明るさ又は強度を徐々に減少させることができる。ネガティブディスプレイ出力からポジティブディスプレイ出力への漸進的な移行をもたらすために、制御ユニット１１６は、第１の光源１０６によって生成される光の明るさ又は強度を徐々に増加させながら、第２の光源１１０によって生成される光の明るさ又は強度を漸進的に減少させることができる。これらの例のいずれにおいても、光源のうちの一方の光源の明るさ又は強度が調整されることができる一方で、光源のうちの他方の光源の明るさ又は強度は一定に維持されることが理解されるであろう。これは光源のうちの一方が他方の光源よりもはるかに高い初期設定の明るさ又は強度レベルを有する場合に有用なことがある。
【００５９】
図７は、ウェイクアップライトのようなライト装置におけるディスプレイユニット１０２の例示的な使用を示している。ライト装置１２０は、半透明部分を有する外側ハウジング又はシェルを含む。（時間、アラーム時刻、装置の設定などのような）情報は、それが照明装置１２０を見るユーザに見えるように、ハウジングの内側のディスプレイユニット１０２によって半透明部分１２２の部分内又は上に表示されるべきである。ディスプレイユニット１０２の正面偏光子１１４は、そして、任意的に、ディスプレイユニット１０２のＬＣＤパネル１０４も、ハウジングの半透明部分１２２に一体化されることができ、或いは（ハウジングの内側又は外側のいずれかにある）半透明部分１２２に隣接して配置されることができる。半透明部分１２２は、（ディスプレイユニット１０２が拡散パネル１０９を含まない限り）拡散特性を有することが好ましい。ハウジングの半透明部分１２２は、充填剤若しくは着色化合物を含むことができる、ポリカーボネートのようなプラスチック、又はポリメチルメタクリレート（ＰＭＭＡ）又はガラスのようなより透明材料から形成されることができる。充填剤は、半透明部分１２２に吸収される光に起因する損失を最小限に抑えるために、高い反射特性を有することが好ましい。充填剤の一例は、二酸化チタンであるが、当業者は、使用することができる他のタイプの充填剤を知っているであろう。
【００６０】
上述のように、ディスプレイユニット１０２の第１の光源１０６は、ポジティブディスプレイ出力（よって、点灯されたバックグラウンド及び暗いピクセル／セグメント）を提供することができる。ディスプレイユニット１０２がライト装置１２０内で使用されるときには、この機能に加えて、第１の光源１０６は、ライト装置１２０のための主光源であることもできる。よって、第１の光源１０６は、半透明部分１２２の主照明を提供する。このようにして、第１の光源１０６をアクティブ化して光を生成するとき、第１の光源１０６は、半透明部分１２２を照らし、ディスプレイユニット１０２内のＬＣＤパネル１０４のためのバックライトも提供する。従って、ポジティブディスプレイ出力は、半透明部分１２２の残部を照らす同じ光源（即ち、同じ色とほぼ同じ明るさを備える光源）によって背面照明され、それにより、半透明部分１２２に外見上「シームレス(seamless)」なポジティブディスプレイ出力を提供する。第２の光源１１０は、ライト装置１２０の主光源がオフにされるときに、ＬＣＤパネル１０４のためのバックライトを提供するよう、ディスプレイユニット１０２内に設けられる。よって、主光源が（例えば、ウェイクアップライトのために夜間に）オフにされるとき、第２光源１１０はオンにされ、ネガティブディスプレイ出力として情報を提供する。
【００６１】
ネガティブディスプレイ出力が暗い環境で使用されるべきライト装置１２０においてディスプレイユニット１０２が使用される実施形態において、第２の光源１１０の色は、高いレベルの照明を引き起こすことなく可読性を最適化するように選択されることができる。例えば、第２の光源１１０の色は、琥珀色又は赤色であり得るが、当業者は、白色を含む他の色を使用し得ることを理解するであろう。
【００６２】
（特にウェイクアップライトの場合の）幾つかの実施形態において、（図６には示されていない）制御ユニット１１６は、例えば、日の出の色を模倣するために、第１の光源１０６によって生成される光の色を制御することができる。制御ユニット１１６は、追加的に又は代替的に、第２の光源１１０によって生成される光の色を制御してもよい。
【００６３】
上述のように、幾つかの実施形態において、制御ユニット１１６は、第１の光源１０６及び／又は第２の光源１１０によって生成される光の強度又は明るさを調整するように構成されることができる。これは、例えば、ウェイクアップライトが、生成される光の明るさを徐々に増加させるときに、制御ユニット１１６が、ポジティブディスプレイ出力からネガティブディスプレイ出力への又はその逆への漸進的な移行をもたらすことを可能にする。
【００６４】
第１の光源１０６によって生成される光の色は、ポジティブディスプレイ出力におけるバックグラウンド及びアクティブでないピクセル／セグメントの色を決定し、第２の光源１１０によって生成される光の色は、ネガティブディスプレイ出力におけるアクティブなピクセル／セグメントの色を決定する。ことが理解されるであろう。従って、ＬＣＤパネル１０４のための２つのバックライト光源の使用は、ディスプレイ出力の異なる色設定(colour  configurations)を提供し得ることを意味する。これらの色設定は、製造中にプリセットされることができ、ユーザ設定又はユーザの好みに従って設定されることができる。一例では、ネガティブモードにおいて、ディスプレイ出力のバックグラウンドは、黒色であることができ、情報を伝達するセグメント又はピクセルは、選択される色（例えば、白色、黄色、赤色、青色など）であることができる。別の例では、ポジティブディスプレイモードにおいて、情報を伝達するセグメント又はピクセル（即ち、アクティブ化されたピクセル／セグメント）は、黒色であることができ、バックグラウンドは、選択される色を有してよい。更に別の例では、バックグラウンドは、選択される色を有することができ、情報を伝達するセグメント又はピクセル（即ち、アクティブ化されたピクセル／セグメント）は、異なる選択される色を有することができ（それは混合された出力を有する場合に当て嵌まる）。
【００６５】
従って、ディスプレイユニットの２つのバックライト光源のうちのどの１つがアクティブ化されるかに基づいてポジティブディスプレイ出力又はネガティブディスプレイ出力を提供するために使用することができる改良されたディスプレイユニットが提供される。
【００６６】
当業者は、特許請求される発明を実施する際に、図面、本開示及び添付の特許請求の範囲の研究から、開示の実施形態に対する変更を理解し、実施することができる。請求項において、「含む」という用語は、他の要素又はステップを除外せず、単数形の表現は、複数を排除しない。特定の手段が相互に異なる従属項に列挙されている単なる事実は、これらの手段の組み合わせを有利に使用し得ないことを示さない。請求項の如何なる引用符号も、その範囲を限定するものと解釈されてならない。
【図１（ａ）】
2020528573.tif 000003
【図１（ｂ）】
2020528573.tif 000004
【図２（ａ）】
2020528573.tif 000005
【図２（ｂ）】
2020528573.tif 000006
【図３】
2020528573.tif 000007
【図４】
2020528573.tif 000008
【図５】
2020528573.tif 000009
【図６】
2020528573.tif 000010
【図７】
2020528573.tif 000011
【国際調査報告】
2020528573.tif 000012
2020528573.tif 000013